【事件の表示】
　特願２００１−３０３４１８「移動通信端末」拒絶査定不服審判事件〔平成１５年　４月１１日出願公開，特開２００３−１１０６５９〕について，次のとおり審決する。
【結　論】
　本件審判の請求は，成り立たない。
【理　由】
第１　手続の経緯と本願発明
　本願は，平成１３年９月２８日の出願であって，特許請求の範囲の請求項３に係る発明（以下，「本願発明」という。）は，平成１７年７月１１日付け手続補正により補正された明細書及び図面の記載からみて，その特許請求の範囲の請求項３に記載された以下のとおりのものと認める。
「【請求項３】　音声再生を行う音声再生手段と，
　画像表示を行う表示手段と，
　文字メッセージ，絵または写真を示す代替画像データを記憶する記憶手段と，
　前記音声データ，画像データおよび文字データを共に含むことが可能なマルチメディアファイルを受信する受信手段と，
　前記マルチメディアファイルに前記音声データおよび前記文字データが含まれ，かつ前記画像データが含まれないならば，前記マルチメディアファイルに含まれた前記音声データに基づいて音声を再生するように前記音声再生手段を制御するとともに，前記記憶手段に記憶された前記代替画像データが示す文字メッセージ，絵または写真と前記文字データが示す文字とを表示するように前記表示手段を制御する制御手段とを具備したことを特徴とする移動通信端末。」
　
第２　引用発明
　原査定の拒絶の理由に引用された特開平４−２２３７５５号公報（以下，「引用文献」という。）には図面とともに以下イ〜ヘの事項が記載されている。
　
イ．「【請求項１】　音声入出力手段，画像入出力手段を備えたマルチメディア端末において，相手端末から受信した受信画像信号と自端末を制御する制御部からの制御画像信号のいずれかを選択して画像出力部へ出力する画像切換え部を有し，前記制御部は，通信データ中に画像データ有りと認識した場合は前記画像切換え部に前記受信画像信号を選択させて表示部へ表示させる手段と，通信データ中に画像データ無しと認識した場合は前記画像切換え部に前記制御画像信号を選択させて表示部へ表示させる手段とを有することを特徴とするマルチメディア端末。」（第２頁第１欄）
ロ．「【０００７】
【発明が解決しようとする課題】しかしながら，上記従来例のマルチメディア端末によれば，端末間で画像データを通信する場合は，通常相手端末と接続されたとき，表示部の画面は，マルチメディア端末用の操作画面の表示から受信した画像に切り換わるが，その後は，通信終了かまたは，操作者が意図的に画面を切換えない限り，受信画像を表示し続ける。しかし，相手端末が，通信途中で画像データの送信を停止したり，他のメディア情報に切り換えた場合にも画面を切り換えることができないため，表示部表示画面は意味の無い画像を写し続けるか，あるいは，乱れた画像を表示してしまうという問題があった。」（第２頁第２欄）
ハ．「【００１０】
【作用】本発明によるマルチメディア端末においては，通信データ中に画像データ有りと認識した場合は画像切換え部に受信画像信号を選択させて表示部へ表示させ，通信データ中に画像データ無しと認識した場合は画像切換え部に制御画像信号を選択させて表示部へ表示させる。これにより，意味の無い画像，乱れた画像の表示が防止される。」（第２頁第２欄）
ニ．「【００１２】図１は本発明の一実施例に係るマルチメディア端末のブロック図である。
【００１３】同図において，１は音声入出力手段の一つであるハンドセット，２は音声入力手段の一つであるマイク，３は音声出力手段の一つであるスピーカ，・・・５はシステム制御部１４の指示により６４Ｋｂｐｓ　ＰＣＭ（Ａ−ｌａｗ），６４Ｋｂｐｓ　ＰＣＭ（μ−ｌａｗ），６４Ｋｂｐｓ／５６Ｋｂｐｓ／４８Ｋｂｐｓ（ＳＢ−ＡＤＰＣＭ），３２Ｋｂｐｓ　ＡＤＰＣＭ，１６Ｋｂｐｓ（例えばＡＰＣ−ＡＢ），８Ｋｂｐｓ等の音声符号化／復号化アルゴリズムに従って送信音声信号をＡＤ変換して符号化する機能，受信音声信号を復号化してＤ／Ａ変換する機能をもつ音声符号化復号化部である。上記音声符号化復号化部５は音声符号化部５ａおよび音声復号化部５ｂを有する。」（第３頁第３欄）
ホ．「【００１５】・・・，１４はＣＰＵ，ＲＯＭ，ＲＡＭ，補助記憶装置，キャラクタジェネレータ，画像信号生成回路等を備え，各部の状態を監視し，装置全体の制御，状態に応じた操作／表示画面の作成及びアプリケーションプログラムの実行等を行うシステム制御部，１５は音声符号化復号化部５からの音声データ，ビデオ符号化復号化部１０からの画像データ、データインタフェース部１２からのデータ、システム制御部１４からのＢＡＳを送信フレーム単位に多重化するとともに，受信フレームを構成単位の各メディアに分離し各部に通知する多重分離化部であり，ＣＣＩＴＴ勧告のＨ．２２１に従ったものである。・・・」（第３頁第３，４欄）
ヘ．「【００２５】次に，マルチメディア端末による通信の場合には，画像切換え部１７をＣ−Ｂ間に接続し（ステップＳ８），表示部８へは，システム制御部１４が作成したマルチメディア端末用の画面が表示される（ステップＳ９）。例として，発呼時は，通信に使用する伝達能力の設定や電話同様，テンキーや端末番号帳やキー入力された端末番号が表示され，着呼時は，相手端末の能力表示や伝送中の能力表示や相手端末番号がわかる場合には，その端末番号が表示される。ＢＡＳによる能力のネゴシエーションで（ステップＳ１０），能力として音声が有れば音声部を起動して（ステップＳ１１，Ｓ１２），確保したＢチャネルの転送レートＸから選択された音声コーデックの転送レートＡを差引き（ステップＳ１３），この転送レートをＹとして，Ｙ＝０の場合には，データと画像は無いと判断される（ステップＳ１４，Ｓ１５）。よって，この場合には，画像切換え部１７をＣ−Ｂ間に接続し（図９のステップＳ１６），システム制御部１４からの画像を表示する。例としては，現在の伝達能力を表示し，画像が伝達されていない旨を操作者へ伝える。あるいは動画像以外のメディアの情報（描画，静止画，テキストデータなど）をデータとして送受し，システム制御部１４で，このデータを画像に変換して表示させる。Ｙ＞０の場合には，能力としてデータが有ればデータインタフェース部（データ部）１２を起動して（ステップＳ１７，Ｓ１８），転送レートＹから選択されたデータの転送レートＢを差引き，この転送レートをＺとして（ステップＳ１９），Ｚ＝０の場合には，画像は無いと判断される（ステップＳ２０）。よって，この場合には，画像切換え部１７をＣ−Ｂ間に接続し（ステップＳ１６），システム制御部１４からの画像を表示する。Ｚ＞０の場合には，能力として画像が無ければ，画像切換え部１７をＣ−Ｂ間に接続し，システム制御部１４からの画像を表示する（ステップＳ２１，Ｓ１６）。能力として画像が有れば画像部を起動して，転送レートＺを画像の転送レートとして，同期検知部１８により画像信号の同期／非同期を検知し（ステップＳ２２），画像信号の同期が確立するとシステム制御部１４はこれを認識し，画像切換え部１７をＣ−Ａ間に接続して（ステップＳ２３），画像復号化部１０ｂからの相手画像を画像出力部９に伝え表示部８に出力する。ここで，Ｙ＜０あるいは，Ｚ＜０の場合には，能力選択の誤りとして相手端末に伝え，再度能力のネゴシエーションに入る（ステップＳ２７，Ｓ２８）。例えば，モード０に戻り能力の交換をやり直すなどが方法として有る。同期はずれの場合には，画像切換え部１７をＣ−Ｂ間に接続し，システム制御部１４が作成した画像を表示部へ表示する（ステップＳ２４）。例としては，「しばらくお待ち下さい」などのメッセージを表示し，相手画像の受信待ち状態であることを操作者に伝える。操作部１３から，キー入力などの手段により，表示切換え指示があった場合（ステップＳ２５），システム制御部１４は，画像切換え部１７を現在のスイッチ位置の逆側に切り換える（ステップＳ２６）。例えば，Ｃ−Ａ間が接続されていればＣ−Ｂ間へ切り換え，Ｃ−Ｂ間が接続されていれば，Ｃ−Ａ間へ切り換える。
【００２６】次に，通信中の能力変更の場合について説明する。自端末が能力を変更する場合は（ステップＳ２９），操作部１３からの伝達能力の変更の指示により，システム制御部１４は，多重分離化部１５を介して，ＢチャネルのインチャネルのＢＡＳにより相手端末へ能力変更を通知する（ステップＳ３０）。同時に，自端末も能力の変更に応じて，音声部やデータ部や画像部（画像入出力部９および画像符号化復号化部１０）及び画像切換え部１７を変更する（ステップＳ１１〜Ｓ３４）。この場合，音声が無いときは転送レートＡ＝０，データが無いときは転送レートＢ＝０として，ステップＳ２１へ進む（ステップＳ３１〜Ｓ３４）。相手端末から能力変更が有った場合には，ＢＡＳによりコマンドが受信されるので，それに応じて音声部やデータ部や画像部及び画像切換え部１７を変更する。
【００２７】次に，通信終了時の場合（ステップＳ３５）について説明する。自端末から終了する場合（ステップＳ３６）には，操作部１３からの指示により，システム制御部１４は，多重分離化部１５を介して，ＢチャネルのインチャネルのＢＡＳにより相手端末へモード０への能力変更を通知する（ステップＳ３７）。同時に，自端末もモード０にし（ステップＳ３７），システム制御部１４は画像切換え部１７をＣ−Ｂ間に接続し，システム制御部１４からの画像を表示部へ表示する（ステップＳ３９）。例としては，操作者へ回線が切断される旨を伝える。その後，自端末より切断を送信し（ステップＳ４０），相手端末より解放を受信し通信を終了する。この時には，通信時間や料金などが表示され，次の通信の準備が完了すると初期画面に戻る。相手端末から終了する場合（ステップＳ３６）には，ＢＡＳによりモード０への能力変更の通知を受け（ステップＳ３８），システム制御部１４は，画像切換え部１７をＣ−Ｂ間に接続し（ステップＳ３９），システム制御部からの画像を表示部へ表示する。例としては，操作者へ回線が切断される旨を伝える。その後，回線が切断され（ステップＳ４０），次の通信の準備が完了したときに，システム制御部１４は，初期画面を表示部へ表示する。
【００２８】以上説明したように本実施例によれば，音声入出力手段，画像入出力手段，データ入出力手段を備えたマルチメディア端末において，相手端末から受信した受信画像信号と自端末を制御する制御部からの制御画像信号のいずれかを選択して画像出力部へ出力する画像切換え部を有し，前記制御部は，通信データ中に画像データ有りと認識した場合は前記画像切換え部に前記受信画像信号を選択させて表示部へ表示させる手段と，通信データ中に画像データ無しと認識した場合は前記画像切換え部に前記制御画像信号を選択させて表示部へ表示させる手段とを有することにより，相手端末から受信するデータの中に画像データがあるか否かを認識でき，その結果により，表示部に対して，受信した画像か，システム制御部からの画像かを自動的に切り換えることが可能になるため，操作者が，表示画面を見ながら，上記の画面を手動で切り換えたり，相手と確認しあいながら切り換えるという煩雑な手間を必要とせず，マン・マシン・インタフェースの利便性が向上するという効果がある」（第４頁第６欄〜第５頁第８欄）　
　上記摘記事項イ，ハ，ヘの記載によれば，「システム制御部（１４）」は「相手端末」からの「通信データ」中に「画像データ」がない場合，「システム制御部（１４）」からの「画像」を表示させており，この「画像」は，前記「画像データ」の代替画像データということができ，この代替画像データは当然何らかの記憶手段に記憶されているものであり，
　上記摘記事項ヘの「メディアの情報（描画，静止画，テキストデータなど）をデータとして送受し」との記載，上記摘記事項ホの「音声データ」との記載から，「マルチメディア端末」は「相手端末」から，音声データ，画像データおよび文字データ等を受信しており，受信のためには，受信手段が自明的に存在し，
　上記摘記事項ニの記載及び上記摘記事項ヘのステップＳ１１等によれば，「システム制御部（１４）」は「音声復号化部（５ｂ）」を制御して，音声データに基づいて音声を出力しているから，
　上記摘記事項イ〜へ及び動作フロー図である図８，９等を考慮することにより，上記引用文献には以下の発明（以下，「引用発明」という。）が開示されている。
「音声復号化部（５ｂ）と，
　表示部（８）及び画像出力部（９ｂ）と，
　代替画像データを記憶する記憶手段と，
　前記音声データ，画像データおよび文字データを受信する受信手段と，
　前記画像データが含まれないならば，前記音声データに基づいて音声を出力する音声復号化部（５ｂ）を制御するとともに，前記記憶手段に記憶された前記代替画像データを表示するように前記表示部（８）及び画像出力部（９ｂ）を制御するシステム制御部（１４）とを具備したマルメディア端末。」
　　
第３　対比・判断
　本願発明と引用発明とを対比する。
　引用発明中の「音声復号化部（５ｂ）」と本願発明中の「音声再生を行う音声再生手段」は，音声化手段ということができ，
　引用発明中の「表示部（８）及び画像出力部（９ｂ）」は，全体として画像表示を行う表示手段であり，
　本願発明中の，「音声を再生する」ことは音声を出力することであり，
　引用発明中の「システム制御部（１４）」は，当然，制御手段であり，
本願発明の「移動通信端末」はマルチメディアファイルを取り扱えるものであるから，マルチメディア端末の一種である。
　したがって，本願発明と引用発明は，以下の点で一致し，相違点１〜５の点で相違する。
　
（一致点）
「音声化手段と，
　画像表示を行う表示手段と，
　代替画像データを記憶する記憶手段と，
　音声データ，画像データおよび文字データを受信する受信手段と，
　前記画像データが含まれないならば，前記音声データに基づいて音声を出力する音声化手段を制御するとともに，前記記憶手段に記憶された前記代替画像データを表示するように表示手段を制御する制御手段とを具備したマルメディア端末。」
　
（相違点１）
　音声化手段に関して，本願発明では（以前の）音声データの再生をする「音声再生手段」であるのに対して，引用発明では（送信とほぼ同時的に）音声データを復号する「音声復号化部」である。
（相違点２）代替画像データに関して，本願発明では，「文字メッセージ，絵または写真を示すもの」であると限定されているが，引用発明には，このような限定はない。
（相違点３）受信される「音声データ，画像データおよび文字データ」に関して，本願発明では，「マルチメディアファイル」の形式を採用しているが，引用発明では特にそのような形式を採用していない。
（相違点４）代替画像データの表示に際して，本願発明では，「文字データが含まれ」ていることを条件とし，この「文字データ」を代替画像データとともに表示しているが，引用発明では，このような条件付けも文字データの表示もしていない。
（相違点５）マルチメディア端末に関して，本願発明では「移動通信端末」と規定しているのに対し，引用発明は移動通信端末ではない。
　
　そこで，上記相違点１〜５について検討する。
　
　例えば，特開平１１−１０３３１６号公報（段落【０００３】【０００５】【００３８】【００４３】等），特開平１０−１４９２７０号公報（段落【００１５】【００１８】等），特開２００１−２２２４３３号公報（段落【００４２】【０１０２】〜【０１０９】等）等に記載されているように，マルチメディア端末としての移動通信端末，及び，そのような端末で，マルチメディアファイルを利用することは，周知事項であるから，引用発明の「マルチメディア端末」を「移動通信端末」と規定する程度のことは，マルチメディア端末に属する周知の移動通信端末を単に選択した程度のことにすぎず（相違点５について），また，引用発明で受信される「音声データ，画像データおよび文字データ」をマルチメディアファイルの形式にすることも，周知事項による単なる設計的事項にすぎない（相違点３について）。また，マルチメディア端末において，（以前に記録した）音声データを受信して，再生することも，上記周知例の，例えば特開２００１−２２２４３３号公報の要約等から明らかなように，周知事項であるから，引用発明中の「音声復号化部」から「音声再生手段」を想起する程度のことも，特に困難な事項とはいえない（相違点１について）。
　そして，代替画像データについても，例えば，上記摘記事項ヘの段落【００２５】等に，受信データに画像がないことを認識させるためのもである旨開示されているから，受信データに画像がない旨のメッセージを表示する必要があることは自明であって，例えばメッセージの代表例といえる文字メッセージ等を利用するのは至極当然の事項といえ（相違点２について），また，受信されたものに文字データが含まれていれば，それを表示することもほとんど当然の事項でしかない（相違点４について）。
　そして，本願発明に関する作用・効果も，引用発明及び周知技術から当業者が予測できる範囲のものにすぎない。
　
第４　むすび
　以上のとおりであるから，本願の請求項３に係る発明は，引用文献に記載された発明，及び，周知技術に基づいて当業者が容易に発明をすることができたものと認められ，特許法第２９条第２項の規定により特許を受けることができない。
　よって，結論のとおり審決する。